(57)【要約】      （修正有）【課題】流体による管の電気的衝撃および／または汚染のリスクを軽減すること、および流体接触に起因する電気的衝撃および／または短絡からの隔離を可能にする医療器具用シール装置を提供する。【解決手段】管端部１０が、接触面を有するフランジ４０と、フランジ４０の接触面に隣接する溝と、チップ５００と連結される連結部と、チップ５００が連結部と連結されているときにフランジ４０の接触面に圧力をかけて接するように溝内に配置された、弾性変形可能なガスケット１００とを含んでいる医療器具用シール装置。【選択図】図１
2007029725.tif 000002
【特許請求の範囲】
【請求項１】
管端部と器具チップとを連結する医療器具用シール装置であって、
接触面を含むフランジと、
前記フランジの前記接触面に隣接する溝と、
前記チップと連結されるように構成された連結部と、
前記溝内に配置され、前記チップが前記連結部と連結されているときに前記フランジの前記接触面に圧力をかけて接するように構成された、弾性変形可能なガスケットと、
を備える医療器具用シール装置。
【請求項２】
前記ガスケットが前記チップによって圧迫されているときに、前記管端部の内部を前記管端部の外部から電気的に隔離するように構成されたエラストマー材料を前記ガスケットが含む、請求項１に記載の医療器具用シール装置。
【請求項３】
前記連結部分が、前記管端部の外部表面と内部表面とのうちの少なくとも一方にねじ切りを含む、請求項１に記載の腹腔鏡管端部。
【請求項４】
前記チップが前記連結部に着脱自在に連結可能である、請求項１に記載の医療器具用シール装置。
【請求項５】
前記ガスケットが、略四角形、略円形、および略丸みのついた形のうちのいずれかの断面を有し、粘着性材料によって前記溝に結合される、請求項１に記載の医療器具用シール装置。
【請求項６】
前記チップが、前記ガスケットを前記フランジの前記接触面に押しつけ、前記チップと前記管端部との間に耐流体性シールを形成するように構成された、請求項１に記載の医療器具用シール装置。
【請求項７】
前記チップのヨークを受けるように構成された内部と、
ねじ切りによって前記チップの前記ヨークと連結されるように構成された内部ねじ切り部分とをさらに備える、請求項１に記載の医療器具用シール装置。
【請求項８】
前記チップによって前記ガスケットが前記フランジの前記接触面に押しつけられたときに、前記ガスケットの外側の半径が、圧迫されていない半径から最大半径まで増えるように構成され、
前記最大半径が前記フランジの半径を超えない、請求項１に記載の医療器具用シール装置。
【請求項９】
前記フランジ、前記溝、前記連結部、前記器具チップ、および前記ガスケットのうちの少なくとも１つに配置され、前記管端部の内部を前記管端部の外部から、少なくとも密閉または絶縁するように構成されたグリスをさらに備える、請求項１に記載の医療器具用シール装置。
【請求項１０】
前記連結部が、前記器具チップの外部表面と前記器具チップの内部表面とのうちの少なくとも一方にねじ切りを含む、請求項１に記載の医療器具用シール装置。
【請求項１１】
管端部と連結されるチップであって、
ねじ切りによって管端部と連結されるように構成されたねじ切り部分と、
前記ねじ切り部分と連結されるバックハブと、
前記シールが、前記チップが前記管端部と連結されるときに、前記管端部に圧力をかけて接するように構成されたチップ。
【請求項１２】
前記管端部のフランジおよび前記腹腔鏡管端部のガスケットと接するように構成された先端をさらに備える、請求項１１に記載のチップ。
【請求項１３】
ねじ切りによって前記管端部の内部と連結されるように構成されたヨークをさらに備え、
前記シールが前記管端部の外部表面を内部から電気的に絶縁する、請求項１１に記載のチップ。
【請求項１４】
前記シールが前記バックハブに対して成形される、請求項１１に記載のチップ。
【請求項１５】
前記ねじ切り部分、前記管端部、前記バックハブ、および前記シールのうちの少なくとも１つに配置され、前記管端部の内部を外部から、少なくとも密閉または絶縁するように構成されたグリスをさらに備える、請求項１１に記載のチップ。
【請求項１６】
管端部とチップとを連結する医療器具用シール装置であって、
半結晶性電気抵抗性プラスチック材料を含み、前記チップと連結されるように構成された連結部と、
前記チップが前記管端部と連結されたときに、摩擦を伴って前記チップと接するように構成された先細の張り部分とを備える医療器具用シール装置。
【請求項１７】
前記半結晶性電気抵抗性プラスチック材料が、少なくとも１種類のポリエーテルエーテルケトン材料を含む、請求項１６に記載の医療器具用シール装置。
【請求項１８】
前記連結部内の溝と、
前記溝内に配置された、熱収縮材料のバンドと、をさらに備える、請求項１６に記載の医療器具用シール装置。
【請求項１９】
前記熱収縮材料が、少なくとも１種類のふっ化エチレンプロピレン材料を含む、請求項１８に記載の医療器具用シール装置。
【請求項２０】
前記先細の張り部分に摩擦を伴って接する前記チップをさらに備える、請求項１６に記載の医療器具用シール装置。
【請求項２１】
前記連結部が、前記チップに着脱自在に連結されるように構成されたねじ切りを含む、請求項１６に記載の医療器具用シール装置。
【請求項２２】
前記管端部に固定的に結合された金属界面をさらに備える、請求項１６に記載の医療器具用シール装置。
【請求項２３】
前記金属界面がステンレス鋼を含む、請求項２１に記載の医療器具用シール装置。
【請求項２４】
前記連結部、前記チップ、前記腹腔鏡、および前記先細の張りのうちの少なくとも１つに配置され、前記管端部の内部を外部から、少なくとも密閉または絶縁するように構成されたグリスをさらに備える、請求項１６に記載の医療器具用シール装置。
【発明の詳細な説明】
【技術分野】
【０００１】
本発明は、腹腔鏡処置、骨盤鏡処置、関節鏡処置、胸腔鏡処置、および／または同様のそのような処置を実施する場合に用いられる腹腔鏡管端部のような電気外科装置を含む医療器具用シール装置に関し、特に、着脱可能なチップが腹腔鏡管端部と連結される際にそのチップを流体的に隔離し電気的に絶縁する耐流体性シールを有する電気外科装置に関する。
【背景技術】
【０００２】
患者の体内に挿入するチップを管の先端に装着して用いる、腹腔鏡処置などのような医療処置は、処置に必要な切開の大きさを最小限に抑えることによって回復期間の短縮およびコストの低減をはかれるという利点を有する。たとえば、腹腔鏡手術を受けた患者は、一般に、数日から一週間の間に通常の活動に復帰できる。これに対し、比較的大きな切開が必要な、より侵襲的な処置を受けた患者は、回復に約１か月かかる可能性がある（以下、「腹腔鏡（処置）」という用語を一般的に使用するが、「腹腔鏡（処置）」という用語のそのような使用は、比較的小さく切開する、たとえば、関節鏡処置、内視鏡処置、骨盤鏡処置、および／または胸腔鏡処置などのような、同様の、または関連する処置をすべて包含することを理解されたい）。
【発明の開示】
【発明が解決しようとする課題】
【０００３】
しかしながら、チップを腹腔鏡器具の管端部に着脱自在に連結する際に、流体が連結部に漏れ出したり、チップまたは管端部の内部に入り込んだりすると、面倒な事態になりかねない。たとえば、腹腔鏡器具内で腐敗性の汚染が発生したり、その汚染から漏電が発生したりする可能性がある。
【０００４】
そこで本発明の目的は、流体による管の電気的衝撃および／または汚染のリスクを軽減すること、および流体接触に起因する電気的衝撃および／または短絡からの隔離を可能にする医療器具用シール装置を提供することである。
【課題を解決するための手段】
【０００５】
上述の特徴および他の特徴に鑑み、本発明は、外科的器具または腹腔鏡器具のチップと管端部との間の電気的および／または流体的接触を防ぐ医療器具用シール装置を提供する。
【０００６】
本発明の一態様によれば、管端部は、接触面を有するフランジと、フランジの接触面に隣接する溝と、チップと連結される連結部と、チップが連結部と連結されているときにフランジの接触面に圧力をかけて接するように溝内に配置された、弾性変形可能なガスケットとを含むことができる。ガスケットは、チップによって圧迫されたときに管端部の内部を管またはチップの外部から電気的に隔離するエラストマー材料を含むことができ、連結部は、管端部の外部表面または内部表面にねじ切りを含むことができる。管端部は、連結部と着脱自在に連結されるチップを含むことができる。さらに、ガスケットは、略四角形、略円形、または略丸みのついた形の断面を有することができ、粘着性材料によって、またはガスケットの弾性によって溝に結合することができる。さらに、チップは、フランジの接触面にガスケットを押しつけ、チップと管端部との間に耐流体性シールを形成することが可能である。
【０００７】
管端部はまた、チップのヨークを受ける内部と、ねじ切りによってチップのヨークと連結される内部ねじ切り部分とを含むことができる。さらに、チップによってガスケットがフランジの接触面に押しつけられたときに、ガスケットの外側の半径が、圧迫されていない半径から最大半径まで増えることが可能であり、この最大半径は、フランジの最も外側の半径を超えない。さらに、フランジ、溝、連結部、器具、およびガスケットのうちの任意の１つまたは複数にグリスを配置することが可能であり、グリスは、管端部の内部を管端部の外部から密閉および／または絶縁することが可能であり、さらに、連結部は、器具チップの外部表面および／または器具チップの内部表面にねじ切りを含むことができる。
【０００８】
本発明の別の態様によれば、管端部と連結されるチップは、ねじ切りによって管端部と連結されるねじ切り部分と、このねじ切り部分に連結されるバックハブと、弾性変形可能であってバックハブと結合されるシールとを含むことが可能であり、このシールは、チップが管端部と連結されるときに、管端部に圧力をかけて接することが可能である。チップはまた、管端部のフランジおよび管端部のガスケットと接する先端を含むことも可能である。さらに、チップは、ねじ切りによって管端部の内部と連結されるヨーク（または、より一般的には、ステム、ポスト、または他の任意の好適な内部部材などであって、これらはヨークとほぼ等価であることが可能なので、以下で用いる「ヨーク」という用語に包含されると考えられてよい）を含むことが可能であり、結果として得られるシールは、管端部またはチップの外部表面を管端部の内部から電気的に絶縁する。さらに、このシールは、バックハブに対して成形されるか、接着剤によって結合することが可能である。
【０００９】
本発明のさらに別の態様によれば、チップに連結する腹腔鏡管端部が、ねじ切りによってチップと連結される連結部と、半結晶性電気抵抗性プラスチック材料を含むねじ切り部分と、チップが管端部と連結されたときに摩擦を伴ってチップと接することが可能な先細の張りとを含むことができる。半結晶性電気抵抗性プラスチック材料は、少なくとも１種類のポリエーテルエーテルケトン（ＰＥＥＫ）材料を含むことができ、管端部はさらに、連結部に溝を含むことができ、その溝内に熱収縮材料のバンドが配置することができる。この熱収縮材料は、少なくとも１種類のふっ化エチレンプロピレン（ＦＥＰ）材料および／または他の任意の弾性材料またはエラストマー材料（たとえば、プラスチック、ゴムなどであり、必ずしもこれらに限定されない）、またはこれらの組み合わせを含むことができる。管端部はさらに、管端部と連結されたチップを含むことが可能であり、その連結部は、チップと着脱自在に連結されるねじ切りを含む。管端部はまた、管端部に固定的に結合された金属界面を含むことも可能であり、この金属界面は、ステンレス鋼を含むことができる。チップまたは管端部（またはこれらの任意の構成要素）にグリスまたは他の任意のそのような粘性流体または粘性材料を配置することも可能であり、これらは、管端部の内部を外部から密閉および／または絶縁することが可能である。
【００１０】
本発明の他の例示的実施形態および利点については、本開示および添付図面を精査することによって理解されよう。
【発明の効果】
【００１１】
本発明によれば、流体による管の電気的衝撃および／または汚染のリスクを軽減すること、および流体接触に起因する電気的衝撃および／または短絡からの隔離を可能とした医療器具を得ることができる。
【発明を実施するための最良の形態】
【００１２】
以下の詳細な記載において本発明をさらに詳しく説明するが、その際には、本発明の特定の実施形態の限定的でない例として前述の図面を参照する。この図面における参照符号は、図面の複数の図を通して類似である要素を表している。
【００１３】
本明細書に示した詳細は、例示であり、本発明の実施形態の例証的説明のみを目的としており、本発明の原理および概念的諸態様の最も有用であって容易に理解されると考えられる記述を提供するために提示されている。この点において、本発明の基本的理解に必要である以上に詳細に本発明の構造的詳細を示すことは意図していない。図面とともに行われる説明は、本発明の様々な形態が実際にどのように具現化されうるかを当業者に対して明らかにするものである。
【００１４】
図１（Ａ）および（Ｂ）に示すように、腹腔鏡手術（たとえば、焼灼による組織の切開）を実施するための医療器具６５は、（たとえば、電気はさみ、焼灼ツールなどのような）ツール５０５を有するチップ５００を一般に含むことができるが、これに限定されない。チップ５００は、手術を実施する医療スタッフまたは医師によって操作可能な持ち手６２（または他の好適な制御装置）と結合された基部６３から延びる管６１の管端部１０と連結することが可能である。たとえば、図１（Ｂ）、図２（Ａ）および（Ｂ）に示すように、本発明の第１の実施形態による腹腔鏡管端部１０は、（ねじ切りによってチップ５００のバックハブ５１０に連結および／または装着することが可能な）雄ねじ（外部ねじ切り）２０を、フランジ４０および外部シース６０とともに含むことができる。さらに、第１の実施形態による腹腔鏡管端部１０は、たとえば、天然ゴムまたは人造ゴム、プラスチック（たとえば、ポリエチレン、ポリプロピレン、または他の任意の好適なプラスチックポリマーなど）、および／または樹脂（および／またはこれらの任意の好適な混合物または合成物）を含み、これらに限定されないエラストマー材料で全体または一部が形成されていることが可能なガスケット１００を含むことができる（このエラストマー材料は、ここに記載した例示的材料に限定されない）。さらに、ガスケット１００は、一般に、腹腔鏡管端部の雄ねじ２０とフランジ４０の間に配置された溝７０を囲むこと、および溝７０にぴったり合っていることが可能であり、また、ガスケット１００は、たとえば、略四角形、略円形、または略丸みのついた形の断面のような任意の好適な断面を有することができる（たとえば、図２（Ａ）に示したガスケット１００の断面は略丸みのついた形である）。ガスケット１００の溝７０への結合は、たとえば、溝７０の外側の周囲とぴったり合うガスケット１００のそれ自体の弾性および／または粘着物によって、または成形によって行うことが可能である。溝７０のフランジ４０側の面は接触面４１を構成する。
【００１５】
図２（Ｂ）は、腹腔鏡管端部１０がチップ５００と完全に連結されたときの、チップ５００のバックハブ５１０と腹腔鏡管端部１０との連結を示す。図では、チップ５００のバックハブ５１０およびヨーク５５０が、それぞれねじきり（雌ねじ）５１１および５５１を介して腹腔鏡管端部１０のそれぞれの部分と連結されるように示されているが、本発明は、ねじ切りによる連結に限定されず、代替として、任意の好適な連結方法（たとえば、数ある好適な連結機構の中でも、ばね式ビードソケット機構、バレルピン、またはドッグツースラチェット機構など）を用いることが可能であることに注意されたい。さらに、ヨークのねじ切り５５１とバックハブのねじ切り５１１とは、それぞれのピッチが実質的に異なっていてもよく、場合によっては実質的に同等であってもよい。
【００１６】
バックハブ５１０が（たとえば、ねじ切りによって）腹腔鏡管端部１０と完全に連結されると、バックハブ５１０の当付面５１２が、ガスケット１００に接し、ガスケット１００をフランジ４０の接触面４１に押しつけることが可能である。この連結によって、腹腔鏡管端部の内部が、チップ５００または管端部１０の周囲のあらゆる流体に対して密閉され、腹腔鏡管端部１０が管６１およびチップ５００の外部から電気的に絶縁され、流体的に隔離される。これは、当付面５１２とガスケット１００とフランジ４０の接触面４１との間の圧力、およびガスケット１００の粘着性および弾性によって流体シールが形成され、ガスケット１００のエラストマー材料の電気的絶縁性によって高い電気的インピーダンスが形成されるためである。さらに、バックハブ５１０がガスケット１００に完全に結合されている場合のバックハブ５１０の圧力によって、バックハブ５１０が管端部１０に対して回転したり、管端部１０から外れたりすることを有効に妨げることができる。これは、バックハブ５１０の当付面５１２がガスケット１００のエラストマー材料に接して発生する摩擦抵抗が、バックハブ５１０が管端部１０に対して回転したり、ねじが外れたりするのを防ぐように働くからである。ガスケット１００の構成、形状、および／または材料は、たとえば、バックハブ５１０との摩擦接触、流体シールの有効性、および／または流体シールの電気的インピーダンスの有効性を最大化するように選択することができる。
【００１７】
さらに、ガスケット１００の高さ（最も外側の半径）、および／またはガスケット１００の変形特性を、たとえば、バックハブ５１０が腹腔鏡管端部１０と完全に連結されたときにガスケット１００の最上部の表面がフランジ４０の高さを超えないように選択したり、たとえば、腹腔鏡器具６５の挿入または取り出しの際の出っ張りや不要な摩擦を最小化するために、ガスケット１００の最上部が、初期の圧迫されていない高さから最大高さまで変形したときに、その最大高さによって、バックハブ５１０、ガスケット１００、およびフランジ４０にわたって実質的に連続的または滑らかな外側表面全体が形成されるように選択することができる。腹腔鏡管端部１０および／または他の構成要素を、単独であれ、別の密閉および／または絶縁方法との組み合わせであれ、密封および／または絶縁するために、グリス、オイル、パテ、エポキシ、にかわ、樹脂、粘性流体または粘性材料、および／または他の任意の好適な材料（図示せず）を用いることも可能である。
【００１８】
たとえば、図２（Ａ）、（Ｂ）および図３に示すように、腹腔鏡管端部１０は、チップ５００のヨーク５５０のねじ切り５５１と連結される内部ねじ切り５１を有する内部５０を含むことができる。さらに、図３に示すように、チップ５００のバックハブ５１０は、管端部１０の雄ねじ２０と連結されるねじ切り５１１を含むことも可能であり、ヨーク５５０のねじ切りとバックハブ５１０のねじ切りとでは、それぞれのねじ切りピッチが異なってもよい。
【００１９】
図４、図５（Ａ）および（Ｂ）は、本発明の第２の実施形態を示す。ここでは、チップ５００が第１のシール２００を含み、第１のシール２００においてバックハブ５１０が管端部１０の先端と接触する。したがって、バックハブ５１０が管端部１０に対してきつく締められると、たとえば、管端部１０の末端２１とバックハブ５１０の圧迫面５０１との間で第１のシール２００のエラストマー材料が圧迫されることによって、シールが形成される。第１のシール２００は、チップ５００のバックハブ５１０に装着されるものとして例示されているが、代替として、たとえば、管端部１０の先端に装着することも可能である。さらに、第１のシール２００の断面は、四角形、円形、または他の任意の好適な形状など、任意の適切な形状を有することが可能である。
【００２０】
図５（Ａ）に示すように、腹腔鏡管端部１０は、フランジ４０に隣接する第２のシール１１０を含むことも可能である。第２の実施形態の一態様によれば、第２のシール１１０は、断面の径または面積を第１のシール２００のそれより小さくすることが可能であり（第１のシール２００の断面は、たとえば、図５（Ｂ）に示すような丸い形であっても、図５（Ａ）に示すような矩形であってもよい）、これによって密閉および絶縁の有効性を高めることができる。第２の実施形態のさらに別の態様によれば、第２のシール１１０は、バックハブ５１０が腹腔鏡管端部１０のフランジ４０の接触面４１に押し寄せるように接すること、およびバックハブ５１０の底面が第２のシール１１０のエラストマー材料と溝７０の底とに圧力をかけて接触することによってシールが形成されることを同時に可能にするのに好適なサイズおよび形状を有することが可能である。
【００２１】
図６（Ａ）および（Ｂ）は、本発明の第３の実施形態を示す。ここでは、全体または少なくとも一部が半結晶性電気抵抗性プラスチック材料（たとえば、ポリエーテルエーテルケトン（ＰＥＥＫ）など）で作られた腹腔鏡管端部１１が腹腔鏡器具に含まれる。第３の実施形態の別の態様によれば、腹腔鏡管端部１１は、チップのバックハブとの間が少なくとも軽微な締まりばめになるように、張り３１または先細の区間を含むことができる。張り３１およびバックハブの締まりばめによる摩擦によって得られるトルク平衡効果によって、腹腔鏡器具６５の使用時に、腹腔鏡管端部１１と連結されているチップがその場所にとどまろうとする安定性が向上する。
【００２２】
第３の実施形態の別の態様によれば、腹腔鏡管端部１１は、熱収縮材料のバンド７００が中に配置される溝７０を含むことができる。この熱収縮材料は、チップ５００を腹腔鏡管端部１１に結合する際に発生する摩擦が、バンド７００が存在しない場合に腹腔鏡管端部１１によって発生するであろう摩擦よりも、小さくなるように、全体または一部が少なくとも１種類のふっ化エチレンプロピレン（ＦＥＰ）材料で形成され、選択された形状および材料組成を有することができる。熱収縮材料のバンド７００は、チップ５００が腹腔鏡管端部１１と連結されているときに耐水シールとなって、腹腔鏡器具６５の耐流体性および電気的絶縁性を高めることができる。
【００２３】
第３の実施形態のさらなる態様によれば、ステンレス鋼または他の任意の、医療器具用として好適な材料（たとえば、 生物学的に不活性な鉄または非鉄金属など）で作られた金属界面またはアダプタ６００が管端部１１の内部５０に含まれることが可能であり、金属界面またはアダプタ６００は、（たとえば、成形、接着、または溶接によって）管端部１１の内部５０に接合される。金属界面６００は、他の部品との溶接に好適な表面を提供することが可能であり、内軸アセンブリの動きを制御するスロット機構または可動アセンブリ（たとえば、スロット形状および／またはバレルピンなど）を組み込むのに十分な耐久性を有する材料を含むことができる。
【００２４】
ＰＥＥＫなどの半結晶性電気抵抗性プラスチック材料で構成される腹腔鏡管端部１１が、たとえばＦＥＰで構成される熱収縮材料のバンド７００とともに、電気的抵抗性を与えて耐流体性シールを形成するので、腹腔鏡器具６５の全体的な電気絶縁性能および流体から隔離される性能を高めることができる。
【００２５】
さらに、ツール５０５をはさみの形でチップ５００上に含むものとして腹腔鏡器具６５を例示してきたが、本発明は、それに限定されず、代替として、たとえば、把持ツール、光学機器および／またはライト、電気または熱による焼灼ツール、または他の任意の、腹腔鏡器具または他の外科器具または内科器具での使用に好適なツールを含むことができることを理解されたい。
【００２６】
先述の各例は説明目的でのみ提示されたものであって、本発明を限定するものと解釈されるべきではないことに注意されたい。いくつかの実施形態を参照しながら本発明を説明してきたが、本明細書で用いた文言は、説明および例示の文言であって、限定の文言ではないことを理解されたい。現在記載されていて、かつ補正されている添付の特許請求項の範囲において、本発明の範囲および趣旨を逸脱することなく、本発明の各種態様の変更を行うことが可能である。本明細書では、特定の手段、材料、および実施形態を参照しながら本発明を説明してきたが、本発明は、本明細書で開示された詳細に限定されるものではなく、むしろ、添付の特許請求項の範囲に含まれる、機能的に等価なあらゆる構造、方法、および用途に拡張される。
【図面の簡単な説明】
【００２７】
【図１】（Ａ）はチップおよび腹腔鏡管を含む腹腔鏡医療器具の一例を示す図であり、（Ｂ）は本発明の第１の実施形態による、腹腔鏡管端部から取り外されたチップを示す図である。
【図２】（Ａ）は第１の実施形態による、ガスケットを有する腹腔鏡管端部を示す切欠図であり、（Ｂ）は、（Ａ）に示された、ガスケットを有する腹腔鏡管端部がチップのバックハブと連結されている様子を示す図である。
【図３】ねじ切りを有するバックハブを示す一部切欠図である。
【図４】本発明の第２の実施形態による、腹腔鏡管端部と連結されたチップを示す一部切欠図である。
【図５】（Ａ）は断面が四角形であるシールを有する、第２の実施形態による腹腔鏡管端部を示す図であり、（Ｂ）は、断面が円形であるシールを有する、第２の実施形態による腹腔鏡管端部を示す図である。
【図６】（Ａ）は本発明の第３の実施形態による、ＰＥＥＫ材料および熱収縮管材料で形成された腹腔鏡管端部を示す図であり、（Ｂ）は第３の実施形態による、ＰＥＥＫ材料で作られ、熱収縮管材料および先細の張りを有する腹腔鏡管端部の内部、ならびにステンレス鋼の管端部部分を示す、（Ａ）のVIＡ−VIＡ線に沿う切欠図である。
【符号の説明】
【００２８】
１０  腹腔鏡管端部
２０  雄ねじ
２１  末端
３１  張り
４０  フランジ
４１  接触面
５０  内部
５１  内部ねじ切り
６０  外部シース
６１  管
６２  持ち手
６３  基部
６５  腹腔鏡器具
７０  溝
１００  ガスケット
１１０  第２のシール
２００  第１のシール
５００  チップ
５０１  圧迫面
５０５  ツール
５１０  バックハブ
５１１  ５５１  ねじきり
５１２  当付面
５５０  ヨーク
７００  バンド
６００  アダプタ（金属界面）
【図１】
2007029725.tif 000003
【図２】
2007029725.tif 000004
【図３】
2007029725.tif 000005
【図４】
2007029725.tif 000006
【図５】
2007029725.tif 000007
【図６】
2007029725.tif 000008